(57)【要約】      （修正有）【課題】構造が簡単となり、使用寿命を延長する打撃駆動工具を提供する。【解決手段】グリップ１０と、殻部材２０と、打撃部材３０と、ラチェット４０とを有し、グリップに駆動モーター１１が設置され、殻部材は、グリップに取り付けられる。打撃部材は、回転可能に殻部材の内部に取り付けられ、打撃フレームと、ハンマーと、打撃シャフトとを備える。打撃フレームが駆動モーターと連動し、ハンマーは、打撃フレームに嵌め込まれ、打撃フレームと連動する。打撃シャフトは、ハンマーに挿設するように、回転可能に打撃フレームに取り付けられ、また、駆動モーターを駆動させると、その打撃フレーム及びハンマーを連動して片方向に回転し、ハンマーの凸縁が打撃シャフトの当接縁部に当接して打撃シャフトを回転させることができる。ラチェットは、殻部材の回転空間に配置され、打撃シャフトと連動し、ボルトまたはナットをねじることができる。【選択図】図１
0003192507.tif 000002
【実用新案登録請求の範囲】
【請求項１】
グリップと、殻部材と、打撃部材と、ラチェットとを有し、
前記グリップは、一端に駆動モーターが設置され、該駆動モーターの一端に駆動軸が設けられ、
前記殻部材は、駆動モーターをカバーするように、グリップの一端に取り付けられ、内部に回転空間が形成され、該グリップと反対する端に、該回転空間と連通するように、上下方向の挿設穴が形成され、
前記打撃部材は、回転可能に殻部材の回転空間に取り付けられ、打撃フレームと、ハンマーと、打撃シャフトとを備え、該打撃フレームは、駆動モーターと連動するように取り付けられ、内部に取付空間が形成され、該ハンマーは、一側を支点として他側を上下方向に沿って移動可能に取付空間に嵌め込まれ、その上部及び下部が取付空間から延出し、中心に回転穴が形成され、該回転穴の内周面に回転凹部が凹設され、該回転穴の内周面の回転凹部の近傍に凸縁が凸設され、該打撃シャフトは、ハンマーの回転穴に挿設されるように、回転可能に打撃フレームに取り付けられ、当接軸及び偏心部を備え、該当接軸の外周面に当接縁部が凸設され、該偏心部における当接軸と反対する端に偏心軸が設けられ、なお、駆動モーターを駆動して打撃フレーム及びハンマーを連動して片方向に回転させると、該ハンマーの凸縁が打撃シャフトの当接縁部に当接して打撃シャフトを回転させ、また、駆動モーターを駆動して打撃フレーム及びハンマーを反対する方向に回転させると、ハンマーが打撃シャフトと当接しないように、該ハンマーが打撃シャフトをねじることはなく、
前記ラチェットは、殻部材の回転空間に配置され、打撃シャフトの偏心部と連動するように連結され、一端が殻部材の挿設穴から突出し、この突出した一端に調整スイッチが設置され、該一端に反対する他端に工具ヘッドが取り付けられることを特徴とする打撃駆動工具。
【請求項２】
前記回転穴の内周面が半径が異なる２つの弧面からなり、
前記回転凹部は、それらの弧面の間に形成されることを特徴とする請求項１に記載の打撃駆動工具。
【請求項３】
前記当接縁部における、一側に鋭い縁部が設けられ、他側に縁弧面が設けられることを特徴とする請求項２に記載の打撃駆動工具。
【請求項４】
前記打撃シャフトが前後方向に延出する一体形成のものであることを特徴とする請求項１乃至３の何れか１項に記載の打撃駆動工具。
【請求項５】
前記打撃シャフトは、複数の脱着可能な部材からなり、当接軸と、偏心部と、組立チューブとを備え、該組立チューブが脱着可能に当接軸と偏心部との間に取り付けられることを特徴とする請求項１乃至３の何れか１項に記載の打撃駆動工具。
【請求項６】
前記当接軸の当接縁部と反対する端の外周面に第一取付面が形成され、
前記偏心部の偏心軸と反対する端の外周面に第二取付面が設けられ、
前記組立チューブの両端にそれぞれ取付凹部が凹設され、
前記第一取付面及び第二取付面がそれぞれ取付凹部に係合されることを特徴とする請求項５に記載の打撃駆動工具。
【請求項７】
前記第一取付面、第二取付面、取付凹部がそれぞれ多角形状を呈することを特徴とする請求項６に記載の打撃駆動工具。
【考案の詳細な説明】
【技術分野】
【０００１】
本考案は、特にボルトまたはナットをねじったり取り外したりするための駆動工具に関するものである。
【背景技術】
【０００２】
マシーンの組み立てまたは取り外しは、殆どボルト及びナットを用いて作業を行い、従来は人力作業によってボルトまたはナットをねじるが、現在にはエアツールまたは電動工具などの駆動工具を有するので、ボルトまたはナットをねじることをより省力になった。
【０００３】
図９に示すように、既存の駆動工具は、内部に打撃部材６０を備え、該打撃部材６０は、リング６１と、ハンマー６２と、軸６３とを有し、該ハンマー６２は、リング６１の内部に嵌め込まれ、該軸６３は、リング６１及びハンマー６２に貫設され、該ハンマー６２の中心部分に貫通穴６２１が形成され、該貫通穴６２１の内周面に２つの凹部６２２が形成されるものである。
【考案の概要】
【考案が解決しようとする課題】
【０００４】
しかしながら、既存の打撃部材が以下の欠点を有する。
１. その打撃部材のハンマーは、モーターにより時計回りまたは逆時計回りに駆動させるための構成を備えるが、普通の駆動工具にラチェットを装着すれば、同じの効果を有し、ハンマーの構成がなくても構わないので、製造上のコストがかかる。
２. ハンマーの凹部の両側にそれぞれ鋭い角が形成されたことから、長時間で打撃を行えば、ハンマーが壊れやすくなり、また、ハンマー及び軸は特有の形状を備えるので、製造上に時間がかかり、生産コストが高かった。
３. 打撃部材の軸の長さが長いので、打撃する時に、衝撃を受けると、軸が湾曲または変形してしまい、新たな軸を変更しなければならない。
【課題を解決するための手段】
【０００５】
上述した問題を解決するために、本考案に係る打撃駆動工具は、グリップと、殻部材と、打撃部材と、ラチェットとを有し、
前記グリップは、一端に駆動モーターが設置され、該駆動モーターの一端に駆動軸が設けられ、
前記殻部材は、駆動モーターをカバーするように、グリップの一端に取り付けられ、内部に回転空間が形成され、該グリップと反対する端に、該回転空間と連通するように、上下方向の挿設穴が形成され、
前記打撃部材は、回転可能に殻部材の回転空間に取り付けられ、打撃フレームと、ハンマーと、打撃シャフトとを備え、該打撃フレームは、駆動モーターと連動するように取り付けられ、内部に取付空間が形成され、該ハンマーは、一側を支点として他側を上下方向に沿って移動可能に取付空間に嵌め込まれ、その上部及び下部が取付空間から延出し、中心に回転穴が形成され、該回転穴の内周面に回転凹部が凹設され、該回転穴の内周面の回転凹部の近傍に凸縁が凸設され、該打撃シャフトは、ハンマーの回転穴に挿設されるように、回転可能に打撃フレームに取り付けられ、当接軸及び偏心部を備え、該当接軸の外周面に当接縁部が凸設され、該偏心部における当接軸と反対する端に偏心軸が設けられ、なお、駆動モーターを駆動して打撃フレーム及びハンマーを連動して片方向に回転させると、該ハンマーの凸縁が打撃シャフトの当接縁部に当接して打撃シャフトを回転させ、また、駆動モーターを駆動して打撃フレーム及びハンマーを反対する方向に回転させると、ハンマーが打撃シャフトと当接しないように、該ハンマーが打撃シャフトをねじることはなく、
前記ラチェットは、殻部材の回転空間に配置され、打撃シャフトの偏心部と連動するように連結され、一端が殻部材の挿設穴から突出し、この突出した一端に調整スイッチが設置され、該一端に反対する他端に工具ヘッドが取り付けられるものである。
【０００６】
かかる打撃駆動工具において、前記回転穴の内周面が半径が異なる２つの弧面からなり、前記回転凹部は、それらの弧面の間に形成されることが好ましい。
【０００７】
かかる打撃駆動工具において、前記当接縁部における、一側に鋭い縁部が設けられ、他側に縁弧面が設けられることが好ましい。
【０００８】
かかる打撃駆動工具において、前記打撃シャフトが前後方向に延出する一体形成のものであることが好ましい。
【０００９】
かかる打撃駆動工具において、前記打撃シャフトは、複数の脱着可能な部材からなり、当接軸と、偏心部と、組立チューブとを備え、該組立チューブが脱着可能に当接軸と偏心部との間に取り付けられることが好ましい。
【００１０】
かかる打撃駆動工具において、前記当接軸の当接縁部と反対する端の外周面に第一取付面が形成され、
前記偏心部の偏心軸と反対する端の外周面に第二取付面が設けられ、
前記組立チューブの両端にそれぞれ取付凹部が凹設され、
前記第一取付面及び第二取付面がそれぞれ取付凹部に係合されることが好ましい。
【００１１】
かかる打撃駆動工具において、前記第一取付面、第二取付面、取付凹部がそれぞれ多角形状を呈することが好ましい。
【考案の効果】
【００１２】
上述したように、本考案に係る打撃駆動工具を有すれば、以下のメリットを有する。
１. ラチェットの調整スイッチを切り替えることによって、工具ヘッドの回転方向を簡単に変更できることから、グリップ及び打撃部材の構成が既存の打撃駆動工具より簡単となり、部品の使用寿命も延長できる。
２. ハンマーの回転穴の内周面に凸縁が形成され、打撃シャフトの当接軸における、一側に鋭い縁部が設けられ、他側に縁弧面が設けられることから、それらの構造によって、打撃部材のハンマーが片方向しかラチェットを駆動できないとの制御を提供する。
３. ハンマーを加工しやすくなると共に、ハンマーの厚さも既存の部品より厚くし、使用寿命を延長することができる。
４. 打撃部材の打撃シャフトが複数の脱着可能な部材からなることから、使用上、打撃シャフトの部品が湾曲したり一部の変形したりすれば、その部品だけ変更してはよく、新たな打撃シャフトを変更しなくてもよく、コストを節約することができる。
【図面の簡単な説明】
【００１３】
【図１】本考案に係る打撃駆動工具の第一実施例の部分断面斜視図である。
【図２】本考案に係る打撃駆動工具の第一実施例の駆動モーター及び打撃部材の分解斜視図である。
【図３】本考案に係る打撃駆動工具の第一実施例の打撃部材の分解斜視図である。
【図４】本考案に係る打撃駆動工具の第一実施例の打撃シャフトの当接軸の斜視図である。
【図５】本考案に係る打撃駆動工具の第一実施例において、打撃部材を時計回りに回転する状態を示す断面図である。
【図６】本考案に係る打撃駆動工具の第一実施例において、打撃部材を逆時計回りに回転する状態を示す断面図である。
【図７】本考案に係る打撃駆動工具の第二実施例の部分断面斜視図である。
【図８】本考案に係る打撃駆動工具の第二実施例の打撃部材の分解斜視図である。
【図９】既存の駆動工具の分解斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１に示すように、本考案に係る打撃駆動工具の第一実施例は、グリップ１０と、殻部材２０と、打撃部材３０と、ラチェット４０とを有する。
【００１６】
図１及び図２に示すように、前記グリップ１０は、前後方向に沿って延出するものであり、前端に駆動モーター１１が設置され、該駆動モーター１１の前端に駆動軸１１０が設けられ、該駆動軸１１０の外周面に複数の歯が形成され、該グリップ１０の外周面に駆動モーター１１を駆動したり停止させたりするためのボタン１２が設置される。このグリップ１０は、周知技術であることから、詳細の説明を省略する。
【００１７】
図１に示すように、前記殻部材２０は、複数の薄型ケースから組み立てられ、駆動モーター１１をカバーするように、グリップ１０の前端に取り付けられ、内部に回転空間２１が形成され、グリップ１０と反対する端に回転空間２１と連通するように、グリップ１０の長手方向と垂直する、即ち、上下方向の挿設穴２２が形成される。
【００１８】
図２及び図３に示すように、前記打撃部材３０は、回転可能に殻部材２０の回転空間２１に取り付けられ、打撃フレーム３１と、ハンマー３２と、ピン３３と、打撃シャフト３４とを備え、該打撃フレーム３１は、駆動モーター１１の一側に取り付けられ、間隔をおいて互いに平行する連接板３１１及び固定板３１２を備え、該連接板３１１の中心に駆動軸１１０に係合するための噛合穴３１３が形成され、該噛合穴３１３の内周面に複数の歯が形成され、該噛合穴３１３の歯が駆動軸１１０の歯に噛合される。該打撃部材３０における連接板３１１と固定板３１２との間に取付空間３１４が形成され、該固定板３１２の中心に噛合穴３１３と同軸にする取付穴３１５が形成され、該打撃部材３０における左右両側にそれぞれ連接板３１１及び固定板３１２を貫通する貫通孔３１６が形成される。
【００１９】
図２及び図３に示すように、前記ハンマー３２は、回動可能に取付空間３１４に嵌め込まれ、上部及び下部が取付空間３１４から延出し、中心に回転穴３２１が形成され、該回転穴３２１の内周面に回転凹部３２２が凹設され、該回転穴３２１の内周面における回転凹部３２２の近傍に凸縁３２３が凸設される。その内、該回転穴３２１の内周面は、半径が異なる２つの弧面からなり、該回転凹部３２２は、それらの弧面の間に形成され、該ハンマー３２の外周面の右側に半円形の係合凹部３２４が凹設され、該ハンマー３２の外周面の左側に長形の移動凹部３２５が形成される。
【００２０】
前記ハンマー３２が取付空間３１４に嵌め込まれる。前記ピン３３は、係合凹部３２４及び移動凹部３２５に貫設されると共に、打撃フレーム３１の貫通孔３１６に挿し込まれる。ハンマー３２は、係合凹部３２４上のピン３３を支点とするように、移動凹部３２５上のピン３３を介して上下方向に沿って移動することができる。
【００２１】
図３及び図４に示すように、前記打撃シャフト３４は、前後方向に延出する一体形成のものであり、取付穴３１５を通過して噛合穴３１３の側壁に当接され、当接軸３４１及び偏心部３４２を備え、該当接軸３４１の外周面に当接縁部３４１１が凸設され、該当接縁部３４１１の一側に鋭い縁部３４１２が設けられ、該当接縁部３４１１の他側に縁弧面３４１３が設けられ、該偏心部３４２における当接軸３４１と反対する端に偏心軸３４２１が設けられる。この打撃シャフト３４を装着する時、当接軸３４１が回転穴３２１に挿設されると共に、当接縁部３４１１が凸縁３２３に当接される。
【００２２】
図１に示すように、前記ラチェット４０は、殻部材２０の回転空間２１に配置され、一端が殻部材２０の挿設穴２２から突出し、この突出した端に調整スイッチ４１が設置され、該一端に反対する他端に工具ヘッド４２が取り付けられ、この調整スイッチ４１により工具ヘッド４２の回転方向を調整できる。また、該ラチェット４０が打撃シャフト３４の偏心部３４２に連結され、その偏心軸３４２１を回転すると、ラチェット４０を連動させながら、ボルトまたはナットをねじることができる。このラチェット４０は、周知技術であることから、ここでの説明を省略する。
【００２３】
図１及び図５に示すように、使用する時、使用者がグリップ１０を持ってボタン１２を押すと、駆動モーター１１を駆動させて打撃部材３０の打撃フレーム３１を回転することができる。駆動モーター１１を時計回りに回転させると、その打撃フレーム３１が同一の方向に回転しながら、ハンマー３２を連動して回転させる。ハンマー３２が所定の角度まで回転すると、ハンマー３２が上下移動に行い、この時、凸縁３２３が打撃シャフト３４の当接縁部３４１１近傍の鋭い縁部３４１２に当接して打撃シャフト３４を回転させ、ラチェット４０を駆動することができる。一方、ラチェット４０の工具ヘッド４２からのトルクが打撃部材３０からのトルクより大きくなれば、ハンマー３２が打撃シャフト３４と当接しないように離れ、ハンマー３２が打撃シャフト３４をねじることはない。
【００２４】
図１及び図６に示すように、ハンマー３２の回転穴３２１の内周面に１つの凸縁３２３しか凸設されていないと共に、当接軸３４１の鋭い縁部３４１２と反対する側に縁弧面３４１３が形成されることから、駆動モーター１１を逆時計回りに回転させてハンマー３２を回転しても、ハンマー３２が打撃シャフト３４に当接することはなく、打撃部材３０によりラチェット４０を回転させることはない。
【００２５】
それによれば、打撃部材３０は、片方向しかラチェット４０を駆動できないので、打撃部材３０の構成がより簡単となると共に、グリップ１０の構成も簡単となり、また、ラチェット４０の調整スイッチ４１を切り替えれば、工具ヘッド４２の回転方向を簡単に変更することができる。さらに、ハンマー３２の回転穴３２１に１つの凸縁３２３しか形成されていなく、ハンマー３２に片方向のトルクを受けることから、製造上、ハンマー３２を加工しやすくなると共に、ハンマー３２の厚さも既存のものより厚くし、使用寿命を延長することができる。
【００２６】
図７及び図８に示すように、本考案に係る第二実施例は、殆ど第一実施例と同一であるが、以下の点において異なる。打撃部材３０Ａの打撃シャフト３４Ａは、複数の脱着可能な部材からなり、当接軸３４１Ａと、偏心部３４２Ａと、組立チューブ３４３とを備え、該当接軸３４１Ａの一端に当接縁部３４１１が設けられ、該当接縁部３４１１と反対する端の外周面に多角形状の第一取付面３４１４が形成され、該偏心部３４２Ａの一端に偏心軸３４２１が延設され、該偏心軸３４２１の反対する端の外周面に当接軸３４１Ａと対応する第二取付面３４２２が設けられ、該組立チューブ３４３の両端にそれぞれ多角形状の取付凹部３４３１が凹設され、第一取付面３４１４及び第二取付面３４２２がそれぞれ取付凹部３４３１に係合され、これによれば、打撃シャフト３４Ａを組み立てることができる。
【００２７】
本実施例は、上述した構成において第一実施例と異なるが、他の構造または操作方法が同一である。本実施例において、その打撃シャフト３４Ａを使用する時、当接軸３４１Ａまたは偏心部３４２Ａが湾曲したり一部の変形したりすれば、その部品だけ変更してよく、打撃シャフト３４Ａの全ての部品を変更しなくてもよく、コストを節約することができる。
【符号の説明】
【００２８】
１０              グリップ
１１              駆動モーター
１１０            駆動軸
１２              ボタン
２０              殻部材
２１              回転空間
２２              挿設穴
３０、３０Ａ      打撃部材
３１              打撃フレーム
３１１            連接板
３１２            固定板
３１３            噛合穴
３１４            取付空間
３１５            取付穴
３１６            貫通孔
３２              ハンマー
３２１            回転穴
３２２            回転凹部
３２３            凸縁
３２４            係合凹部
３２５            移動凹部
３３              ピン
３４、３４Ａ      打撃シャフト
３４１、３４１Ａ  当接軸
３４１１          当接縁部
３４１２          鋭い縁部
３４１３          縁弧面
３４１４          第一取付面
３４２、３４２Ａ  偏心部
３４２１          偏心軸
３４２２          第二取付面
３４３            組立チューブ
３４３１          取付凹部
４０              ラチェット
４１              調整スイッチ
４２              工具ヘッド
６０              打撃部材
６１              リング
６２              ハンマー
６２１            貫通穴
６２２            凹部
６３              軸
【図１】
0003192507.tif 000003
【図２】
0003192507.tif 000004
【図３】
0003192507.tif 000005
【図４】
0003192507.tif 000006
【図５】
0003192507.tif 000007
【図６】
0003192507.tif 000008
【図７】
0003192507.tif 000009
【図８】
0003192507.tif 000010
【図９】
0003192507.tif 000011